【事件の表示】
　平成１０年特許願第３６１２４０号「多色画像形成装置」拒絶査定に対する審判事件［平成１２年　６月３０日出願公開、特開２０００−１８０７５６］について、次のとおり審決する。
【結　論】
　本件審判の請求は、成り立たない。
【理　由】
１．本願発明
　本願は平成１０年１２月１８日に特許出願したものであって、その請求項１〜７に係る発明は、平成１２年４月２４日付け手続補正書により補正された明細書および図面の記載からみて、その特許請求の範囲の請求項１〜７に記載されたとおりのものであるところ、請求項１に係る発明は次のとおりのものと認める。
「【請求項１】複数の光ビームによって複数の感光体上に形成される複数の異なる色の画像を重ねて一つの多色画像を得る多色画像形成装置であって、
　前記複数の光ビーム毎に設けられた光学部材と、
　前記光学部材の各々に対応して設けられ前記光学部材を移動して前記感光体上に照射される前記光ビームの照射位置を移動可能な補正手段と、
　を有し、
　前記補正手段は、所定の手操作によって操作量に応じた前記光学部材の移動量を得ると共に、前記手操作による操作量を機械的に前記補正手段へ伝達する設定手段によって調整可能なことを特徴とした多色画像形成装置。」
　なお、平成１２年１２月２５日付け手続補正書は、特許法第１７条の２第３項の規定に違反するとして、補正却下の決定がなされた。
　　　　　　　　
２．刊行物記載の発明
　原査定の拒絶の理由に引用された、本願の出願の日前に頒布された刊行物；特開平１０−１３３１３０号公報（以下「引用例」という。）には、下記の記載が認められる。
「【請求項１】４つのレーザ光源を有するとともに、これらのレーザ光源から出射されたビームを同一の偏向手段を用いて振り分け走査し、副走査方向に配置されて第１ステーション乃至第４ステーションを構成する並置した４つの感光体に各々結像するようにした多色画像形成装置の光走査装置において、
　前記第２ステーションでの走査線と前記第３ステーションでの走査線の間隔Ｍｄを固定し、前記第２ステーションでの走査線と前記第１ステーションでの走査線との間隔Ｒｄが前記間隔Ｍｄと等しくなるように前記第１ステーションでの走査線位置を、
　また、前記第３ステーションでの走査線と前記第４ステーションでの走査線との間隔Ｌｄが前記間隔Ｍｄに等しくなるように前記第４ステーションでの走査線位置を、
それぞれ調節する走査位置調節手段を具備したことを特徴とする多色画像形成装置の光走査装置。
　【請求項２】
　請求項１記載の多色画像形成装置の光走査装置において、
　前記走査位置調節手段は、前記レーザ光源から前記感光体までの光路中に設けられた前記ビームの折り返し用のミラーを、前記感光体上での走査線の副走査方向での結像位置補正が可能なように主走査平面内にて回動可能に支持する走査線の位置補正装置からなることを特徴とする多色画像形成装置の光走査装置。」（特許請求の範囲）、
「【００１１】
　そこで、請求項１、請求項２記載の発明では、各ステーションにおける書き込み画像の位置ずれを簡易な手段によりなくすことのできる多色画像形成装置の光走査装置を提供することを目的とする。
【００４２】
　そのためには、例えば、ミラー２４とミラー２５の傾きを必要な量だけ調節すればよい。本発明による走査位置調節手段は、ミラー２４、ミラー２５を個々に回動させてその傾きを調節し、間隔Ｌｄ、間隔Ｍｄ、間隔Ｒｄを等しくする走査線の位置補正装置に他ならない。
【００４５】
　図１にも示すように、支持側板５２の内側面には板状の支持部材５５が突出している。この支持部材５５にはおねじ５８が螺合されていて、このおねじ５８の先端がミラー２４の表面（反射面）側に当接している。つまり、支持側板５２側ではミラー２４は板ばね５４により付勢されることにより、突起５２ａとおねじ５８の先端の二点で支持されている。
【００４６】
　ミラー２４の他端側についての支持手段である、支持側板５１側での支持の状態を示した図２（ｂ）においても板ばね５３を利用した支持の方法は、前記図２（ａ）で説明した態様と、おねじ５８の支持がないことを除けば同じである。つまり、板ばね５３はその屈曲部をミラー２４の裏面短手中央に当接し、平坦部を支持側板５１に接合してある。前記板ばね５３の屈曲部により押圧されたミラー２４の表面は突起５１ａに当接している。以上によりミラー２４は、突起５１ａ，５２ａの二点と、おねじ５８の先端との合計三点で浮動状に支持されていることとなる。
【００４７】
　かかる構成においておねじ５８を回転することにより、ミラー２４突起５１ａ，５１ｂを支点として微小量、回動制御することができる。おねじ５８には、図１に示すように、底板部材５７上に配置されていて正逆転自在のステッピングモータ５６を連結しておく。
【００４８】
　ステッピングモータ５６を駆動することで、所定量のミラー２４の回動が可能であり、かかるミラー２４の回動により走査線の位置を自在に変更することができる。図１における平行な２本の１点鎖線は、走査位置変更前と後の各走査線を例示したものである。」
　上記によれば、引用例には、
「４つのレーザ光源を有するとともに、これらのレーザ光源から出射されたビームを同一の偏向手段を用いて振り分け走査し、副走査方向に配置されて第１ステーション乃至第４ステーションを構成する並置した４つの感光体に各々結像するようにした多色画像形成装置において、光走査装置は、前記第１ステーションでの走査線位置と前記第４ステーションでの走査線位置を、それぞれ調節する走査位置調節手段を有し、該走査位置調節手段は、前記レーザ光源から前記感光体までの光路中に設けられた前記ビームの折り返し用のミラーを、ステッピングモータ５６を駆動しておねじ５８を回転することにより、微小量、回動制御し、所定量のミラーの回動により走査線の位置を変更する位置補正装置である多色画像形成装置。」の発明が記載されている。
　
３．対比・判断
　本願の請求項１に係る発明（以下、「本願発明」という。）と引用例に記載された発明（以下、「引用発明」）とを対比すると、引用発明の「レーザ光源から出射されたビーム」、「ビームの折り返し用のミラー」、「走査線の位置を変更する位置補正装置」及び「多色画像形成装置」は、本願発明の「光ビーム」、「光学部材」、「光ビームの照射位置を移動可能な補正手段」及び「複数の異なる色の画像を重ねて一つの多色画像を得る多色画像形成装置」に相当し、引用発明において、ステッピングモータは電気的に操作され、その回転数（操作量）に応じて、ミラーを所定量回動することは明らかであるから、両者は、
「複数の光ビームによって複数の感光体上に形成される複数の異なる色の画像を重ねて一つの多色画像を得る多色画像形成装置であって、前記複数の光ビーム毎に設けられた光学部材と、前記光学部材のうち少なくとも２つの光学部材に対応して設けられ前記光学部材を移動して前記感光体上に照射される前記光ビームの照射位置を移動可能な補正手段と、を有し、前記補正手段は、所定の操作によって操作量に応じた前記光学部材の移動量を得る多色画像形成装置。」で一致し、下記の点で相違する。
  相違点１；本願発明は、補正手段を、複数の光ビーム毎に設けられた光学部材の各々に対応して設けたのに対し、引用発明は、４つの光学部材のうち補正を必要とする２つの光学部材に各々対応して設けた点、
  相違点２；本願発明は、補正手段を、所定の手操作とすると共に、前記手操作による操作量を機械的に前記補正手段へ伝達する設定手段によって調整可能としたのに対し、引用発明は、ステッピングモータ５６を駆動しておねじ５８を回転することにより、微小量、回動制御し、所定量のミラーの回動をおこなう点。
　
　上記相違点について検討する、
（１）相違点１について、
  引用例には、補正手段を、補正を必要とする光学部材に各々設けているのであるから、複数の光ビーム毎に設けられた光学部材（全て）に補正が必要であれば、それらに対応して各々設けることは、当業者が容易になし得る設計事項である。
（２） 相違点２について、
　一般に、機器の調整や補正を手動または電気的に自動で行うことは周知の事項であるが、この種ミラー等の光学部材の補正を本願発明のような手操作とすることは、従来周知（特開昭６３−５０８０３号公報、特開平２−５９７１４号公報（２頁右下欄１〜６行及び４頁右上欄６〜１１行）及び特開平１−２１０９７２号公報（１頁右下欄１５〜１９行）参照。）である。又、ねじ等を手操作する場合に、ねじの頭部を手操作するに十分な大きさとすることがスペース上困難であるときは、手操作による操作量を機械的に伝達する設定手段（マイナスドライバやアレンキー）を用いて調整可能とすることは、一般に周知慣用手段である。したがって、引用発明のステッピングモータによる電気的な自動調整に代えて手操作を採用し、本願発明の相違点２の構成とすることは、上記周知事項に基づいて当業者が容易に想到し得たものである。
　そして、本願発明によってもたらされる効果は、引用例に記載されたもの及び従来周知の事項から、予想し得るものであり、格別とは言えない。
　
４．むすび
　したがって、本願発明は、引用例に記載された発明及び周知事項に基づいて当業者が容易に発明をすることができたものであるから、特許法第２９条第２項の規定により特許を受けることができない。
　よって結論のとおり審決する。